(57)【要約】複数の照射光ビームがＬＩＤＡＲ装置から角度範囲にわたって出射され、回転軸の周りに走査される。角度範囲には回転軸が含まれる。中間電子基板が、回転電子基板と発光・集光エンジンの様々な素子の間の電気的接続性及び機械的支持を提供する。集光光学系、照明光学系、又はその両方の１つ以上の光学素子が、所定の波長範囲外の光を吸収する１つ以上の材料から構成される。オーバーモールドレンズが、より大きな角度範囲にわたって入射光を集光するために、１つ以上の光検出素子に固定的に結合する。レンズ素子が、発光素子及び照明光学系の間の光路内に配置され、発光素子から出射された光の強度分布を平坦化してピーク強度を低減する。【選択図】  図１
2019502107.tif 000002
【特許請求の範囲】
【請求項１】
光検出及び測距（ＬＩＤＡＲ）装置であって、前記装置は、
回転軸の周りを回転するように構成された発光・集光エンジン及び計算システムを有し、
前記発光・集光エンジンは、
前記ＬＩＤＡＲ装置から照射光ビームを前記回転軸に対して異なる角度にそれぞれ出射する複数の発光素子であって、前記複数の発光素子の少なくとも１つは、前記回転軸と平行、又はほぼ平行な照射光ビームを出射するように構成されており、前記発光・集光エンジンから出射された各照射光ビームは、照射光の測定パルスにより三次元環境内の異なる位置を照射する、前記複数の発光素子と、
前記複数の発光素子の１つとそれぞれが対応する複数の光検出素子であって、前記複数の光検出素子のそれぞれが、対応する照射光ビームによってそれぞれ照射された前記三次元環境内の異なる位置のそれぞれから反射された前記測定パルスの量を検出し、検出された光量を示す出力信号を発生する、複数の光検出素子と、
を有し、
前記計算システムは、検出された光量を示す前記出力信号を受信し、前記出力信号をデジタル信号に変換し、前記デジタル信号に基づいて前記ＬＩＤＡＲ装置から前記三次元環境内の特定位置そして前記特定位置から前記ＬＩＤＡＲ装置に戻るまでの前記測定パルスの飛行時間を決定するように構成される、ことを特徴とするＬＩＤＡＲ装置。
【請求項２】
前記ＬＩＤＡＲ装置がさらに、
ＬＩＤＡＲ測定が実行される物体に固定可能なハウジングと、
前記ハウジングに機械的に結合された固定電子基板と、
前記回転軸に対して垂直に配置された平坦面を有する回転電子基板であって、前記回転電子基板が前記発光・集光エンジンとともに回転し、電力及び電子信号が前記固定電子基板及び前記回転電子基板の間で通信される、前記回転電子基板と、
各中間電子基板の平坦面が前記回転電子基板の平坦面に対して垂直に配向されているように、それぞれが前記回転電子基板に結合されている２つ以上の前記中間電子基板であって、２つ以上の前記中間電子基板が前記発光・集光エンジンに機械的及び電気的に結合されている、２つ以上の前記中間電子基板と、
を有することを特徴とする請求項１に記載のＬＩＤＡＲ装置。
【請求項３】
２つ以上の前記中間電子基板の第１の中間電子基板が前記複数の発光素子のそれぞれと機械的及び電気的に結合し、そして、２つ以上の前記中間電子基板の第２の中間電子基板が前記複数の光検出素子のそれぞれと機械的及び電気的に結合することを特徴とする請求項２に記載のＬＩＤＡＲ装置。
【請求項４】
２つ以上の前記中間電子基板の第３の中間電子基板が、前記ＬＩＤＡＲ装置の照明光学サブシステムの１つ以上のレンズ素子及び前記ＬＩＤＡＲ装置の集光光学サブシステムの１つ以上のレンズ素子に機械的に結合し、前記第３の中間電子基板が、前記照明光学サブシステムを前記集光光学サブシステムから空間的に分離し、光学的に覆い隠すことを特徴とする請求項２に記載のＬＩＤＡＲ装置。
【請求項５】
前記ＬＩＤＡＲ装置がさらに、
前記複数の発光素子から出射された光ビームをコリメートするように構成された照明光学サブシステムと、
前記複数の光検出素子のそれぞれの光検出素子上に集光された光を集束するように構成された集光光学サブシステムと、
を有することを特徴とする請求項１に記載のＬＩＤＡＲ装置。
【請求項６】
前記集光光学サブシステムの１つ以上の光学素子が、所定の波長範囲外の光を少なくとも５０％吸収する１つ以上の材料から構成され、前記所定の波長範囲には、前記複数の発光素子のそれぞれにより出射された光の波長が含まれることを特徴とする請求項５に記載のＬＩＤＡＲ装置。
【請求項７】
前記照明光学サブシステムの１つ以上のレンズ素子が、前記複数の発光素子のそれぞれから出射された光の強度分布を平坦化するように構成されることを特徴とする請求項５に記載のＬＩＤＡＲ装置。
【請求項８】
前記１つ以上のレンズ素子は回折光学素子を含むことを特徴とする請求項７に記載のＬＩＤＡＲ装置。
【請求項９】
前記ＬＩＤＡＲ装置がさらに、それぞれが前記複数の光検出素子の１つに固定的に結合された複数のオーバーモールドレンズを有することを特徴とする請求項１に記載のＬＩＤＡＲ装置。
【請求項１０】
前記複数のオーバーモールドレンズの１つ以上がドーム状レンズ又は複合放物面集光器（ＣＰＣ）であることを特徴とする請求項９に記載のＬＩＤＡＲ装置。
【請求項１１】
前記複数の発光素子の２つ以上が、同時に発光するように構成されることを特徴とする請求項１に記載のＬＩＤＡＲ装置。
【請求項１２】
前記複数の発光素子の２つ以上が、連続的に発光するように構成されることを特徴とする請求項１に記載のＬＩＤＡＲ装置。
【請求項１３】
前記複数の発光素子の２つ以上から成る第１のグループが実質的に同時に発光するように作動され、そして、プログラムされた期間経過後、前記複数の発光素子の２つ以上から成る第２のグループが実質的に同時に発光するように作動されることを特徴とする請求項４に記載のＬＩＤＡＲ装置。
【請求項１４】
光検出及び測距（ＬＩＤＡＲ）装置であって、前記装置は、
回転軸の周りを回転するように構成された発光・集光エンジン、回転電子基板及び２つ以上の中間電子基板を有し、
前記発光・集光エンジンは、
前記ＬＩＤＡＲ装置から照射光ビームを前記回転軸に対して異なる角度にそれぞれ出射する複数の発光素子であって、前記複数の発光素子の少なくとも１つは、前記回転軸と平行、又はほぼ平行な照射光ビームを出射するように構成されており、前記発光・集光エンジンから出射された各照射光ビームは、照射光の測定パルスにより三次元環境内の異なる位置を照射する、前記複数の発光素子と、
前記複数の発光素子の１つとそれぞれが対応する複数の光検出素子であって、前記複数の光検出素子のそれぞれが、対応する照射光ビームによってそれぞれ照射された前記三次元環境内の異なる位置のそれぞれから反射された前記測定パルスの量を検出し、検出された光量を示す出力信号を発生する、複数の光検出素子と、
を有し、
前記回転電子基板は、前記回転軸に対して垂直に配置された平坦面を有し、前記回転電子基板は、前記発光・集光エンジンとともに回転し、
２つ以上の前記中間電子基板はそれぞれ、前記中間電子基板のそれぞれの平坦面が前記回転電子基板の平坦面に対して垂直に配向されているように、前記回転電子基板に結合され、２つ以上の前記中間電子基板が、前記発光・集光エンジンに機械的及び電気的に結合することを特徴とするＬＩＤＡＲ装置。
【請求項１５】
２つ以上の前記中間電子基板の第１の中間電子基板が前記複数の発光素子のそれぞれと機械的及び電気的に結合し、そして、２つ以上の前記中間電子基板の第２の中間電子基板が前記複数の光検出素子のそれぞれと機械的及び電気的に結合することを特徴とする請求項１４に記載のＬＩＤＡＲ装置。
【請求項１６】
２つ以上の前記中間電子基板の第３の中間電子基板が、前記ＬＩＤＡＲ装置の照明光学サブシステムの１つ以上のレンズ素子及び前記ＬＩＤＡＲ装置の集光光学サブシステムの１つ以上のレンズ素子に機械的に結合し、前記第３の中間電子基板が、前記照明光学サブシステムを前記集光光学サブシステムから空間的に分離し、光学的に覆い隠すことを特徴とする請求項１４に記載のＬＩＤＡＲ装置。
【請求項１７】
前記ＬＩＤＡＲ装置がさらに、
前記複数の光検出素子のそれぞれの光検出素子上に集光された光を集束するように構成された集光光学サブシステムを有し、
前記集光光学サブシステムの１つ以上の光学素子が、所定の波長範囲外の光を少なくとも５０％吸収する１つ以上の材料から構成され、前記所定の波長範囲には、前記複数の発光素子のそれぞれにより出射された光の波長が含まれることを特徴とする請求項１４に記載のＬＩＤＡＲ装置。
【請求項１８】
前記ＬＩＤＡＲ装置がさらに、
前記複数の発光素子から出射された光ビームをコリメートするように構成された照明光学サブシステムを有し、
前記照明光学サブシステムの１つ以上のレンズ素子が、前記複数の発光素子のそれぞれから出射された光の強度分布を平坦化するように構成されることを特徴とする請求項１４に記載のＬＩＤＡＲ装置。
【請求項１９】
ＬＩＤＡＲ装置の複数の発光素子の回転軸を含む角度範囲にわたって、前記ＬＩＤＡＲ装置から三次元環境内に複数の照射光ビームを出射し、前記複数の照射光ビームがそれぞれ、照射光の測定パルスによって三次元環境内の異なる位置を照射し、
前記複数の照射光ビームにより照射された三次元環境内の異なる位置のそれぞれから反射された複数の前記測定パルスを検出し、
反射された複数の前記測定パルスの１つをそれぞれが示す複数の出力信号を発生し、
前記複数の出力信号のそれぞれをデジタル信号に変換し、
前記デジタル信号のそれぞれに基づいて前記ＬＩＤＡＲ装置から前記三次元環境内のそれぞれの特定位置そしてそれぞれの前記特定位置から前記ＬＩＤＡＲ装置に戻るまでのそれぞれの前記測定パルスの飛行時間を決定することを特徴とする方法。
【請求項２０】
さらに、前記複数の発光素子のそれぞれから出射された光の強度分布を平坦化することを特徴とする請求項１９に記載の方法。
【発明の詳細な説明】
【関連出願】
【０００１】
本出願は、２０１６年１１月２３日に出願された、「目標視野を有する三次元ＬＩＤＡＲシステム」という名称の米国特許出願１５/３６０，９０３の優先権を主張するものであり、同様に、２０１５年１１月２５日に出願された、「目標視野を有する三次元ＬＩＤＡＲシステム」という名称の米国仮出願６２/２６０，２０５の優先権を主張するものであり、これらの出願は参照されることにより、本出願に援用される。
【技術分野】
【０００２】
本発明は、三次元ＬＩＤＡＲシステムに関する。
【背景技術】
【０００３】
ＬＩＤＡＲシステムは光パルスを使用し、光パルスの飛行時間（ＴＯＦ）に基づいて物体への距離を測定するものである。ＬＩＤＡＲシステムの光源から出射された光パルスは遠位の物体と相互に作用する。物体から反射された光の一部がＬＩＤＡＲシステムの検出器に戻る。光パルスの出射から戻り光パルスの検出までに経過した時間に基づいて、距離が推定される。
【０００４】
いくつかの例においては、パルスレーザー発光器を使用して光パルスが発生される。光パルスはレンズ又はレンズアセンブリを通して集束される。光パルスがパルスレーザー発光器の近くに設置された検出器に戻るまでの時間が測定される。高精度の時間測定から距離が得られる。
【０００５】
いくつかの例においては、複数のパルスが連発して出射され、これらの出射方向が順次変更される。これらの例において、各距離測定をピクセルとみなすことができ、連発して出射されて捕捉されたピクセルの集合（即ち、ポイントクラウド）を画像として描画することができ、又は他の理由から分析することができる（例えば、障害物の検出）。いくつかの例においては、結果として得られたポイントクラウドを、使用者に三次元の画像として描画する閲覧ソフトを使用される。実写カメラで撮影されたような三次元画像として距離測定を描くために異なる方式を使用することができる。
【０００６】
いくつかのＬＩＤＡＲシステムは、単一のレーザー発光器／検出器並びに回転ミラーの組み合わせを使用して、平面を横切って効果的に走査する。そのようなＬＩＤＡＲシステムにより実施された距離測定は実際上二次元（即ち、平面状）であり、捕捉された距離点は二次元（即ち、単一面）のポイントクラウドとして描画される。
【０００７】
いくつかの例において、回転ミラーは数千ｒｐｍの非常に速い速度で回転する。上述のように、この設計は本質的には二次元のポイントクラウドだけを描画するものである。しかしながら、三次元のポイントクラウドを求められることが多い。他の次元はいくつかの方法で提供される。最も多いのは、ジンバル上で装置全体が上下及び／又は前後に作動されることであり、センサのノッディング又はウィンキングとして当業者には知られている方法である。したがって、単一ビームＬＩＤＡＲユニットを使用して、一度に一点であるにもかかわらず、三次元の距離点列全体を捕捉することができる。関連する例においては、レーザーパルスを複数層に分割するためにプリズムが使用され、各プリズムはわずかに異なる鉛直角を有する。これは、センサ自体が作動することはないが、上述のノッディング効果をシミュレートする。
【０００８】
全ての上記の例において、単一レーザー発光器／検出器の組み合わせが主な前提であり、単一センサよりも広い視野を達成するために光路がどうにかして変更されている。単一レーザーからのパルスは毎秒のパルス数が限定されているので、装置は本質的に発生するピクセル数が限定されている。ビーム経路の変更は、ミラー、プリズム、又は装置の作動のいずれによるものであっても、ポイントクラウドの密度がより低くなることを引き起こすが、より広い領域をカバーすることができる。
【０００９】
上述のように、いくつかの構成において三次元ポイントクラウドシステムが存在する。しかしながら、多くの用途において、広い視野にわたって見る必要がある。例えば、自立走行車両用途においては、道路内のくぼみに車両が進入した場合、縦視野は水平線より上に伸びているべきであり、そして、車両の前方の地面を見るためにできる限り近くまで下に伸びているべきである。また、現実世界で起きている行動とこれらの行動の画像化の間の遅れは最小限である必要がある。いくつかの例においては、毎秒少なくとも５回の完全な画像の更新を提供することが望ましい。
【発明の概要】
【発明が解決しようとする課題】
【００１０】
三次元撮像システムのポイントクラウド密度及び視野の改善が望ましい。
【課題を解決するための手段】
【００１１】
ここに、ＬＩＤＡＲ測定を実施するためのシステム及び方法を提供する。１つの側面において、ＬＩＤＡＲ装置から照射光の複数のビームが三次元環境内の角度範囲にわたって出射される。角度範囲はＬＩＤＡＲ装置の発光・集光エンジンの回転軸を含む。発光・集光エンジンは、複数の発光素子、光検出素子、照明光学系及び集光光学系を含む。
【００１２】
更なる側面において、ＬＩＤＡＲ装置は、回転軸の周りの複数の光ビームのそれぞれを走査するように構成されている。この様に、環境内に照射された各光ビームは円錐形パターンを描く。
【００１３】
もう１つの側面において、発光・集光エンジンは、発光・集光エンジンの様々な構成要素と回転電子基板の間の電気的接続性及び機械的支持を提供する中間電子基板を有する。各中間電子基板は、各中間電子基板の平坦面が回転電子基板の平坦面に対して垂直に配向されるように、回転電子基板に結合される。
【００１４】
もう１つの側面において、集光光学系、照明光学系又はその両方の光学素子の１つ以上が、各発光素子により出射される光の波長を含む所定の波長範囲外の光を吸収する１つ以上の材料から構成される。
【００１５】
もう１つの側面において、１つ以上の光検出素子にオーバーモールドレンズが固定的に結合される。オーバーモールドレンズが光検出素子を保護し、そしてオーバーモールドレンズは、レンズ無しで集光可能な角度範囲よりも大きな角度範囲にわたって入射光を集光するような形状となっている。
【００１６】
もう１つの側面において、発光素子と照明光学系の間の光路にレンズ素子が配置され、発光素子から出射された光の強度分布を平坦化する。これにより、ＬＩＤＡＲシステムから出射される光のピーク強度を低減する。
【００１７】
上記は概要であり、したがって、必要に応じて簡略化、一般化、及び詳細の省略を含み、結果として、概要は単に説明的なものであり、限定的なものではないことは当業者には理解できるであろう。ここの記載の装置及び／又は方法の他の側面、発明の特徴、及び利点は、以下に記載の非限定的な詳細な説明により明確になるであろう。
【図面の簡単な説明】
【００１８】
【図１】少なくとも１つの新しい側面における三次元ＬＩＤＡＲシステム１００の１つの実施形態を示す簡略図である。
【図２】１つの例示的実施形態における三次元ＬＩＤＡＲシステム１００の分解図である。
【図３】三次元ＬＩＤＡＲシステム１００の発光・集光エンジン１１２を示す図である。
【図４】三次元ＬＩＤＡＲシステム１００の集光光学系１１６の詳細図である。
【図５】集光された光１１８の各ビームの形状を示す三次元ＬＩＤＡＲシステム１００の集光光学系１１６の断面図である。
【図６】図２の光検出素子アレイ１１３の個別の光検出素子１１３Ａの１つの例示的な実施形態を示す図である。
【図７】図２の発光素子アレイ１１４の個別の発光素子１１４Ａの１つの例示的な実施形態を示す図である。
【図８】パルス照射システム１３０、光検出システム１５０、及び制御装置１４０を含む三次元ＬＩＤＡＲシステムの構成要素を示す図である。
【図９】測定パルスビームの出射及び戻り測定パルスの捕捉のタイミングを示す図である。
【図１０】１６個のパルス照射サブシステムの発光のタイミングを示す図である。
【図１１】少なくとも１つの新しい側面におけるＬＩＤＡＲ測定を実施する方法２００を示すフローチャートである。
【発明を実施するための形態】
【００１９】
本発明のいくつかの実施形態と添付の図面に図示されている背景的実施例の詳細について説明する。
【００２０】
図１は、１つの例示的作動シナリオにおける三次元ＬＩＤＡＲシステム１００の実施形態を示す図である。三次元ＬＩＤＡＲシステム１００は、下部ハウジング１０１及び上部ハウジング１０２を有する。下部ハウジング１０１は、ＬＩＤＡＲ測定の基準となる物体（例えば、車両、タワー、飛行機等）に取り付けられるように構成されたフレーム構造を有する。上部ハウジング１０２は、赤外光（例えば、７００〜１７００ｎｍのスペクトル領域内の波長を有する光）を透過させる材料から成るドーム状シェル要素１０３を有する。１つの実施例において、ドーム状シェル要素１０３は、９０５ｎｍを中心とする狭い範囲の波長を有する光を透過させる。
【００２１】
図１に図示されているように、三次元ＬＩＤＡＲシステム１００から複数の光ビーム１０５が、ドーム状シェル要素１０３を通って、回転の中心軸１０４から測定して角度範囲αにわたって、出射される。１つの側面において、複数の光ビーム１０５は、回転の中心軸１０４から回転の中心軸１０４から測定した角度αまでの角度範囲に広がっている。この場合、照射光の各ビームは回転の中心軸に対して異なる角度でＬＩＤＡＲ装置から出射され、そして、１つ以上の光ビーム１０５は、回転の中心軸１０４と平行であるかほぼ平行である。
【００２２】
図１に図示されている実施形態において、各光ビームはＸ軸及びＹ軸により規定された平面上に互いに間隔を置いて複数の異なる位置に投射される。例えば、ビーム１０６はＸＹ平面上の位置１０７に投射される。したがって、発光・集光エンジンから出射された照射光の各ビームは、照射光の測定パルスにより三次元環境内の異なる位置を照射する。
【００２３】
更なる側面において、三次元ＬＩＤＡＲシステム１００は、回転の中心軸１０４の周りの複数の光ビーム１０５のそれぞれを走査するように構成される。図１に図示されている実施形態において、ＸＹ平面状に投射された各光ビームは、回転の中心軸１０４とＸＹ平面の交点を中心とする円形パターンを描く。例えば、ＸＹ平面上に投射されるビーム１０６は、時間とともに、回転の中心軸１０４を中心とする円形軌跡１０８を描く。ＸＹ平面は、三次元ＬＩＤＡＲシステム１００から出射されるビームの空間的分離を示すために図１に図示されている。一般的に、三次元ＬＩＤＡＲシステム１００から出射されたビームは、周辺環境内に投射され、各ビームの経路内の物体上に投射する。
【００２４】
図２は、１つの例示的実施形態における三次元ＬＩＤＡＲシステム１００の分解図である。三次元ＬＩＤＡＲシステム１００はさらに、回転の中心軸１０４の周りを回転する発光・集光エンジン１１２を有する。もう１つの側面において、発光・集光エンジン１１２の中心光軸１１７（例えば、ＬＩＤＡＲ装置１００から出射された照射光ビーム１０５の角度範囲αの中央）は、回転の中心軸１０４に対して角度βで傾斜している。一般的に、角度βは、０度からα／２度の間のどの角度でもよい。
【００２５】
図２に図示されているように、三次元ＬＩＤＡＲシステム１００は、下部ハウジング１０１に対して固定位置に取り付けられた固定電子基板１１０を有する。固定電子基板１１０の上方に回転電子基板１１１が配置され、回転電子基板１１１は、発光・集光エンジン１１２とともに、固定電子基板１１０に対して所定の回転速度（例えば、２００ｒｐｍより速い速度）で回転するように構成されている。電力信号及び電子信号が、固定電子基板１１０と回転電子基板１１１の間で、１つ以上の変圧器、容量素子又は光学素子を通して通信され、これらの信号の非接触送信をもたらす。発光・集光エンジン１１２は回転電子基板１１１に対して固定的に配置され、したがって、回転の中心軸１０４の周りを所定の角速度ωで回転する。回転電子基板１１１の平坦面は、回転の中心軸１０４に対して直角に配向されている。
【００２６】
図２に図示されているように、発光・集光エンジン１１２は、発光素子アレイ１１４及び光検出素子アレイ１１３を有する。各発光素子から出射された光は、（図示しない）ミラーに向かっていく。ミラーから反射した光は、一連の照明光学系１１５を通過し、一連の照明光学系１１５が、出射光を図１に図示されている三次元ＬＩＤＡＲシステム１００から出射される照射光ビームアレイ１０５にほぼコリメートする。
【００２７】
一般的に、三次元ＬＩＤＡＲシステム１００から任意の数の光ビームを同時に出射するために任意の数の発光素子を配置することができる。また、三次元ＬＩＤＡＲシステム１００から任意の数の光ビームを連続的に出射するために任意の数の発光素子を配置することができる。１つの実施形態において、２つ以上の発光素子が実質的に同時に光を出射するように作動され、そして、プログラムされた期間経過後、次の２つ以上の発光素子が実質的に同時に光を出射するように作動される。
【００２８】
環境内の物体から反射された光は、集光光学系１１６により集光される。集光された光は集光光学系１１６を通り、光検出素子アレイ１１３の各光検出素子上に集束される。名目上、各光検出素子は異なる発光素子に対応する。集光光学系１１６を通過後、集光された光は（図示しない）ミラーから各光検出素子上に反射される。実際には、各測定チャンネル間のクロストークにより同時に作動できるチャンネル数が限定される。しかしながら、撮像解像度を最大化するためには、可能な限り多くのチャンネルを同時に作動することが望ましく、それにより、飛行時間の測定が多くのチャンネルから、連続的にではなく、同時に得られる。
【００２９】
図３は、発光・集光エンジン１１２を示すもう１つの図である。もう１つの側面において、発光・集光エンジン１１２は、発光・集光エンジン１１２の様々な構成要素と回転電子基板１１１の間の電気的接続性及び機械的支持を提供する中間電子基板１２１、１２２及び１２３を有する。例えば、光検出素子アレイ１１３の各光検出素子は中間電子基板１２１に取り付けられる。次に、中間電子基板１２１は回転電子基板１１１に機械的及び電気的に結合される。同様に、発光素子アレイ１１４の各発光素子は中間電子基板１２３に取り付けられる。次に、中間電子基板１２３は回転電子基板１１１に機械的及び電気的に結合される。もう１つの実施例において、照明光学系１１５及び集光光学系１１６は、中間電子基板１２２に機械的に取り付けられる。この実施例において、中間電子基板１２２は、照明光学系１１５を集光光学系１１６から空間的に分離し、光学的に覆い隠し、集光された光への照射光の混入を防止する。次に、中間電子基板１２２は、回転電子基板１１１に機械的及び電気的に結合される。この方法により、中間電子基板は、機械的及び電気的接続性を提供し、三次元ＬＩＤＡＲシステム１００の動作に必要な電気部品を取り付け可能な追加基板領域を提供する。各中間電子基板は、各中間電子基板の平坦面が回転電子基板の平坦面に対して直角に配向されているように、回転電子基板１１１に結合される。
【００３０】
図４は、集光光学系１１６の詳細図である。図４に図示されているように、集光光学系１１６は、光検出素子アレイ１１３の各光検出素子上に集光された光１１８を集束するように配置された４つのレンズ素子１１６Ａ〜１１６Ｄを有する。集光光学系１１６を通過した光は、ミラー１２４により反射され、光検出素子アレイ１１３の各光検出素子上に配向される。
【００３１】
もう１つの側面において、集光光学系１１６の１つ以上の光学素子は、発光素子アレイ１１４の各発光素子により出射された光の波長を含む所定の波長範囲外の光を吸収する１つ以上の材料から構成される。１つの実施例において、１つ以上のレンズ素子は、発光素子アレイ１１４の各発光素子により発生された赤外光より低い波長を有する光の少なくとも５０％を吸収する着色剤添加剤を含むプラスチック材料から構成される。もう１つの実施例において、プラスチック材料は、発光素子アレイ１１４の各発光素子により発生された赤外光より低い波長を有する光の少なくとも９０％を吸収する。１つの実施例において、着色剤は、Ａａｋｏ  ＢＶ（オランダ）から入手可能なＥｐｏｌｉｇｈｔ  ７２７６Ａである。一般的に、望まないスペクトルの光を除去するために、集光光学系１１６の任意のプラスチックレンズ素子に任意の数の異なる着色剤を添加することができる。
【００３２】
図５は、集光された光１１８の各ビームの形状を示す集光光学系１１６の断面図である。
【００３３】
上述のように、集光光学系１１６の１つ以上の光学素子は、発光素子アレイ１１４の各発光素子により出射された光の波長を含む所定の波長範囲外の光を吸収する１つ以上の材料から構成される。しかしながら、一般的に、照明光学系１１５の１つ以上の光学素子も、発光素子アレイ１１４の各発光素子により出射された光の波長を含む所定の波長範囲外の光を吸収する１つ以上の材料から構成されることができる。
【００３４】
図６は、図２の光検出素子アレイ１１３の個別の光検出素子１１３Ａの１つの例示的な実施形態を示す図である。個別の光検出素子１１３Ａは、光検出素子１３１が取り付けられた電子基板１３０を有する。いくつかの実施形態において、光検出素子１３１は、アバランシェ・フォトダイオード（ＡＰＤ）素子である。しかしながら、一般的に、どんな適切な光検出素子を採用してもよい。
【００３５】
もう１つの側面において、オーバーモールドレンズ１３２は、光検出素子１３１に固定的に結合している。オーバーモールドレンズ１３２は、光検出素子１３１を保護し、そしてレンズ無しで可能な角度範囲よりも大きな角度範囲にわたって入射光を集光する形状に形成される。いくつかの実施例において、オーバーモールドレンズ１３２はドーム状レンズである。いくつかの他の実施例において、オーバーモールドレンズ１３２は複合放物面集光器（ＣＰＣ）形状に形成される。
【００３６】
図７は、図２の発光素子アレイ１１４の個別の発光素子１１４Ａの１つの例示的な実施形態を示す図である。個別の発光素子１１４Ａは、発光素子１４１が取り付けられた電子基板１４０を有する。いくつかの実施形態において、発光素子１４１はダイオードレーザー素子である。しかしながら、一般的に、どんな適切な光源を採用してもよい。
【００３７】
もう１つの側面において、発光素子１４１から出射された光の強度分布を平坦化するために、発光素子１４１及び照明光学系１１４の間の光路内にレンズ素子１４２が配置される。一般的に、レーザーダイオードベースの発光素子は、ガウス強度分布を有する光を出射する。しかしながら、三次元ＬＩＤＡＲシステム１００は、眼の損傷をもたらす前の赤外光強度への耐性が限られている人間を含む非整備環境で一般的に作動される。光子束の総量を減衰させることなく、三次元ＬＩＤＡＲシステム１００の発光強度が許容限界より低く維持されることを保証するために、レンズ素子１４２がガウス分布を平坦化し、それにより、三次元ＬＩＤＡＲシステム１００から出射される光のピーク強度を低減する。いくつかの実施形態において、レンズ素子１４２は、ガウス分布をフラットトップ分布に変換するように構成された回折光学素子である。しかしながら、一般的に、ガウス分布を平坦化するように構成された光学素子であればどんな光学素子を検討してもよい。
【００３８】
三次元ＬＩＤＡＲシステム１００の発光素子はパルス照射源であり、各発光素子はＬＩＤＡＲ装置から周囲環境内に照射光のパルスビームを出射する。いくつかの実施形態において、発光素子はレーザーベースである。いくつかの実施形態において、発光素子は１つ以上の発光ダイオードベースである。一般的に、どんな適切なパルス照射源を検討してもよい。
【００３９】
各測定ビームが、照射光の測定パルスにより三次元環境（例えば、ピクセル）の特定位置を照射する。各測定パルスは、周囲環境内の１つの位置を問合せし、その結果として、三次元ＬＩＤＡＲシステム１００からその位置までの距離を推定する。その位置から反射された光は、測定窓の間、三次元ＬＩＤＡＲシステム１００の対応する光検出素子により検出される。光検出素子は、三次元周囲環境内の特定位置から反射された測定パルスを検出する。この方法により、各測定パルスの特定測定位置からの反射が三次元ＬＩＤＡＲシステム１００により捕捉される。
【００４０】
更なる側面において、三次元ＬＩＤＡＲシステム１００は、ＬＩＤＡＲ装置から三次元環境内の特定照射位置そして特定照射位置からＬＩＤＡＲ装置へ戻る測定パルスの飛行時間を測定する。飛行時間は、測定窓の間に検出された反射光に基づいて測定される。ＬＩＤＡＲ装置と測定パルスにより照射された三次元環境内の特定位置の間の距離は、飛行時間及び既知の光の速度に基づいて測定される。
【００４１】
図８は、１つの実施形態におけるパルス照射システム１３０、パルス光検出システム１５０、及び制御装置１４０を含む三次元ＬＩＤＡＲシステムの構成要素を示す図である。図８に図示されている実施形態は、非限定的な実施例として提供されており、本出願書類の範囲内で、ここに記載のパルスＬＩＤＡＲ測定を実施するための多くの他の適切な実施形態を検討することができる。
【００４２】
パルス照射システム１３０は、パルス発光素子１３７を有する。パルス発光素子１３７は、パルス発光素子１３７に提供されるパルス電気信号１３６に応答してパルス発光を発生する。パルス発光素子１３７により発生された光は、三次元ＬＩＤＡＲシステムの１つ以上の光学素子により、集束されて周辺環境内の特定位置１３８上に投射される。１つの実施例において、パルス発光素子１３７により出射された光は、図１に図示される三次元ＬＩＤＡＲシステム１００から出射される光パルスビーム１０６に出射光をコリメートする照明光学系１１５により、集束されて特定位置に投射される。
【００４３】
パルス照射システム１３０は、パルス発光素子１３７に選択的に結合された１つ以上の電気エネルギー蓄積素子（ＥＳＥ）を有する。例示する目的で、図８には１つの電気エネルギー蓄積素子（ＥＳＥ１３２）が描かれているが、一般的に、照射光パルスを発生するために任意の数の電気エネルギー蓄積素子を採用することができる。いくつかの実施例において、各電気エネルギー蓄積素子はコンデンサである。電気エネルギー源１３１（例えば、電圧源）は、各電気エネルギー蓄積素子に電気的に接続され、各電気エネルギー蓄積素子に電気エネルギーを提供する。各電気エネルギー蓄積素子は、スイッチ素子によりパルス発光素子１３７に選択的に結合している。また、例示する目的で、図８には１つのスイッチ素子（１３９）が描かれている。各スイッチ素子は、制御信号（例えば、デジタル制御信号、ＰＣ）の状態に応じて、２つの状態の間を切り替えるように構成されている。第１の状態において、スイッチ素子は実質的に非導電性である。第１の状態において、対応する電気エネルギー蓄積素子はパルス発光素子１３７から効果的に切断されている。第１の状態において、電気エネルギー源１３１から対応する各電気エネルギー蓄積素子へ電気エネルギーが流れ、電気エネルギー蓄積素子を効果的に充電する。第２の状態において、スイッチ素子は実質的に導電性である。第２の状態において、対応する電気エネルギー蓄積素子はパルス発光素子１３７に電気的に接続する。第２の状態において、電気エネルギー蓄積素子からパルス発光素子１３７へ電気エネルギーが流れる。
【００４４】
図８に図示されているように、どの電気エネルギー蓄積素子によりパルス発光素子１３７に同時に供給されるどの電流も効果的に付加的である。この方法により、パルス発光素子１３７に提供された電流信号１３６は、制御信号ＰＣにより効果的に整形される。例えば、制御信号ＰＣがスイッチ素子１３９を制御して実質的に非導電状態から実質的に導電状態に切り替えた時に、電流信号１３６のパルスがパルス発光素子１３７に提供される。同様に、電流信号１３６のパルスを他の電気エネルギー蓄積素子からパルス発光素子１３７へ同時に提供することができる。
【００４５】
図８に図示されているように、制御装置１４０は制御信号ＰＣを発生し、制御信号ＰＣはパルス発光素子１３７に電流パルスを提供するタイミングを制御し、それにより、ＬＩＤＡＲ装置から出射される光パルスのタイミングを制御する。
【００４６】
一般的に、制御装置１４０により指令された各パルスは、大きさ及び持続期間を変更することができる。さらに、パルス間の遅延時間も変更することができる。
【００４７】
一般的に、パルス照射システム１３０は、パルス発光素子に選択的に結合された任意の数の電気エネルギー蓄積素子を有することができる。さらに、１つ以上の電気エネルギー蓄積素子は、１つ以上の他の電気エネルギー蓄積素子と異なるエネルギー蓄積能力を有することができる。
【００４８】
更なる実施形態において、三次元ＬＩＤＡＲシステム、例えば図１に図示されている三次元ＬＩＤＡＲシステム１００は、共通の制御装置（例えば、制御装置１４０）と一体となって作動する１６個のパルス照射システムを有する。図１０は、１６個のパルス照射システムの各々の発光のタイミングを示す図１８０である。
【００４９】
図１０に図示されているように、測定パルスは第１のパルス照射システムから出射される。遅延時間Ｔ遅延経過後に、ＬＩＤＡＲ装置の第２のパルス照射システムから測定パルスが出射される。この方法により、測定期間Ｔ測定の間に、ＬＩＤＡＲ装置から異なる方向に一連の１６個の測定パルスが出射される。１６個のパルス照射システムの各々の電気エネルギー蓄積素子は、測定期間後に充電期間Ｔ充電の間充電される。充電期間後に、その次の測定期間にわたって、もう１つの測定パルスが各パルス照射システムから出射される。
【００５０】
いくつかの実施形態において、遅延時間Ｔ遅延は、ＬＩＤＡＲ装置の最大範囲に位置する物体へ向かい、該物体から戻ってくるまでの測定パルスの飛行時間よりも長く設定されている。この方法により、１６個のパルス照射システムのいずれの間にもクロストークが生じない。
【００５１】
いくつかの他の実施形態において、１つのパルス照射システムから出射された測定パルスがＬＩＤＡＲ装置に戻るまでの時間が経過する前に、もう１つのパルス照射システムから測定パルスを出射することができる。いくつかのこれらの実施形態において、クロストークを避けるために、各ビームにより問合せされた周囲環境の領域の間が十分に空間的に分離されることを確実にするように注意が払われている。
【００５２】
図８に図示されているように、特定位置１３８から反射された光は、光検出素子１５５により検出される。光検出素子１５５は、アナログ相互インピーダンス増幅器１５２により増幅される出力信号１５１を発生する。一般的に、出力信号１５１の増幅は、複数の増幅段階を有することができる。この場合、アナログ相互インピーダンス増幅器１５２は非限定的な実施例として提供されており、多くの他のアナログ信号増幅構成が本出願書類の範囲内に含まれると考えることができる。
【００５３】
増幅信号１５３は、制御装置１４０に伝達される。制御装置１４０のアナログ／デジタル変換器（ＡＤＣ）１４４が、アナログ信号１５３を更なる処理において使用されるデジタル信号に変換するために使用される。制御装置１４０は、パルス制御信号ＰＣと共同してＡＤＣ１４４によるデータ取得のタイミングを制御するために使用されるイネーブル／ディスエーブル信号１４５を発生する。
【００５４】
図９は、測定パルスの出射及び戻り測定パルスの捕捉に関わるタイミングを示す図である。図９に図示されているように、測定は、制御装置１４０により発生されたパルス発射信号１６１（例えば、ＰＣ）とともに始まる。内部システムの遅延により、パルス発射信号１６１から時間遅延ＴＤによりずれているインデックス信号１６２が決定される。時間遅延は、ＬＩＤＡＲシステムからの発光に関する既知の遅延（例えば、信号通信遅延及びスイッチ素子、エネルギー蓄積素子及びパルス発光装置に関する待機時間）と、集光と集光された光を示している信号発生に関する既知の遅延（例えば、増幅器の待機時間、アナログ／デジタル変換遅延等）と、を含んでいる。インデックス信号は、システム内の時間遅延を測定するために発生される。そして、インデックス信号は、システム動作中のどの適切な時間においても再発生することができる。また、インデックス信号は、１つ以上の測定チャンネルに関する時間遅延を推定するために使用される。
【００５５】
図９に図示されているように、戻り信号１６３は、特定位置の照明に対応してＬＩＤＡＲシステムにより検出される。測定窓（例えば、収集された戻り信号が特定測定パルスに関連付けられている期間）は、光検出素子１５０からのイネーブルデータ取得により開始される。制御装置１４０は、測定パルスの出射に対応する戻り信号が予期される時間の窓に対応する測定窓のタイミングを制御する。いくつかの実施例において、測定窓は、測定パルスが出射された時点で作動され、ＬＩＤＡＲシステムの範囲の２倍の距離にわたる光の飛行時間に対応する時点において停止される。この方法により、測定窓は、ＬＩＤＡＲシステムに近接する物体からの戻り光（わずかな飛行時間）からＬＩＤＡＲシステムの最大範囲に位置する物体からの戻り光までを集光するために開かれている。この方法により、有効な戻り信号として貢献することができない他の全ての光は除外される。
【００５６】
図９に図示されているように、戻り信号１６３は、出射された測定パルスに対応する２つの戻り測定パルスを有する。一般的に、信号検出は、全ての検出された測定パルスに実施される。さらに、信号分析が、最も近い信号（例えば、最初の戻り測定パルス）、最も強い信号及び最も遠い信号（例えば、測定窓における最後の戻り測定パルス）を特定するために実施される。これらの事例は、ＬＩＤＡＲシステムによる潜在的に有効な距離測定として報告することができる。例えば、図９に図示されているように、飛行時間ＴＯＦは、出射された測定パルスに対応する最も近い（例えば、最も早い）戻り測定パルスから計算することができる。
【００５７】
図１１は、少なくとも１つの新しい側面におけるＬＩＤＡＲ測定を実施する方法２００を示す図である。方法２００は、本発明の図１に図示されているＬＩＤＡＲシステム１００のようなＬＩＤＡＲシステムにより実施するのに適している。１つの側面において、方法２００のデータ処理ブロックは、制御装置１４０の１つ以上のプロセッサにより、又は他の汎用計算システムにより、実行される事前にプログラムされたアルゴリズムによって実行することができる。ここで、ＬＩＤＡＲシステム１００の特定構成は限定を示しているものではなく、単なる実例として解釈されるべきである。
【００５８】
ブロック２０１において、照射光の複数のビームが、ＬＩＤＡＲ装置の複数の発光素子の回転軸を含む角度範囲にわたって、ＬＩＤＡＲ装置から三次元環境内に出射される。照射光の複数のビームはそれぞれ、照射光の測定パルスによって三次元環境内の異なる位置を照射する。
【００５９】
ブロック２０２において、照射光の複数のビームにより照射された三次元環境内の異なる位置のそれぞれから反射された複数の測定パルスが検出される。
【００６０】
ブロック２０３において、複数の出力信号が発生され、それぞれが反射された複数の測定パルスの１つを示している。
【００６１】
ブロック２０４において、複数の出力信号のそれぞれは、デジタル信号に変換される。
【００６２】
ブロック２０５において、それぞれのデジタル信号に基づいて、ＬＩＤＡＲ装置から三次元環境内の各特定位置そして各特定位置からＬＩＤＡＲ装置に戻るまでのそれぞれの測定パルスの飛行時間が決定される。
【００６３】
１つ以上の例示的な実施形態において、記載されている機能は、ハードウェア、ソフトウェア、ファームウェア、又はそれらの組み合わせにおいて実施することができる。ソフトウェアにおいて実施される場合、機能は、コンピュータ可読媒体上の１つ以上の指令又はコードとして伝達又は記憶されることができる。コンピュータ可読媒体は、１つの場所から他の場所へのコンピュータプログラムの転送を容易にするどの媒体も含むことができる。記憶媒体は、汎用コンピュータ又は専用コンピュータによりアクセスすることができるどの利用可能な媒体を使用してもよい。限定としてではなく、例として、コンピュータ可読媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置、又は、汎用コンピュータ又は専用コンピュータにより、又は汎用プロセッサ又は専用プロセッサによりアクセスすることができ、データ構造又は指令の形の所望のプログラムコードを記憶又は保持するために使用することができる他の媒体を含むことができる。また、どんな接続もコンピュータ可読媒体と呼ぶのにふさわしい。例えば、同軸ケーブル、光ファイバーケーブル、ツイストペアケーブル、デジタル加入者回線（ＤＳＬ）、又は赤外線通信、無線通信、及びマイクロ波通信等の無線技術を使用して、ウェブサイト、サーバー、又は他の遠隔供給源からソフトウェアが伝送された場合、同軸ケーブル、光ファイバーケーブル、ツイストペアケーブル、デジタル加入者回線（ＤＳＬ）、又は赤外線通信、無線通信、及びマイクロ波通信等の無線技術は、媒体の定義内に含まれる。ここで使用されるディスクは、コンパクトディスク（ＣＤ）、レーザーディスク、光ディスク、デジタルバーサタイルディスク（ＤＶＤ）、フロッピーディスク及びブルーレイディスクを含み、ディスクは通常データを磁気的に再生し、また、ディスクはデータをレーザーにより光学的に再生する。上記の組み合わせもコンピュータ可読媒体の範囲内に含まれるものである。
【００６４】
説明の目的で特定実施形態が上述されているが、この特許出願書類の教示は汎用性を有し、上記の特定実施形態に限定されるものではない。したがって、特許請求の範囲に記載の本発明の範囲から逸脱することなく、様々な改良、適応、及び上記実施形態の様々な構成の組み合わせを実行することができる。
【符号の説明】
【００６５】
１００  三次元ＬＩＤＡＲシステム
１０１  下部ハウジング
１０２  上部ハウジング
１０３  ドーム状シェル要素
１０４  回転の中心軸
１０５  複数の光ビーム
１０６  ビーム
１０７  ＸＹ平面上の位置
１０８  円形軌跡
１１０  固定電子基板
１１１  回転電子基板
１１２  発光・集光エンジン
１１３  光検出素子アレイ
１１３Ａ  個別の光検出素子
１１４  発光素子アレイ
１１４Ａ  個別の発光素子
１１５  照明光学系
１１６  集光光学系
１１６Ａ  レンズ素子
１１６Ｂ  レンズ素子
１１６Ｃ  レンズ素子
１１６Ｄ  レンズ素子
１１７  １１２の中心光軸
１１８  集光された光
１２１  中間電子基板
１２２  中間電子基板
１２３  中間電子基板
１２４  ミラー
１３０  パルス照射システム、電子基板
１３１  光検出素子、電気エネルギー源
１３２  オーバーモールドレンズ、電気エネルギー蓄積素子
１３６  パルス電気信号、電流信号
１３７  パルス発光素子
１３８  特定位置
１４０  制御装置
１４１  発光素子
１４２  レンズ素子
１４４  アナログ／デジタル変換器
１４５  イネーブル／ディスエーブル信号
１５０  光検出システム
１５１  出力信号
１５２  アナログ相互インピーダンス増幅器
１５３  増幅信号、アナログ信号
１５５  光検出素子
１６１  パルス発射信号
１６２  インデックス信号
１６３  戻り信号
【図１】
2019502107.tif 000003
【図２】
2019502107.tif 000004
【図３】
2019502107.tif 000005
【図４】
2019502107.tif 000006
【図５】
2019502107.tif 000007
【図６】
2019502107.tif 000008
【図７】
2019502107.tif 000009
【図８】
2019502107.tif 000010
【図９】
2019502107.tif 000011
【図１０】
2019502107.tif 000012
【図１１】
2019502107.tif 000013
【国際調査報告】
2019502107.tif 000014